(57)【要約】能動冷却型廃棄物容器は、（ｉ）廃棄物を受容するための開口を有するチャンバを画定する内側壁と、（ｉｉ）内側壁を囲み、開口で内側壁と接合する外側壁と、を含む絶縁コンテナを含む。また、容器は、閉じた位置の開口を介したチャンバに対するアクセスを防止するように、また、開いた位置の開口を介したチャンバに対するアクセスを可能にするように、構成されるカバーと、チャンバに露出する内部熱交換器を含むヒートポンプと、を含み、ヒートポンプは、チャンバ内の空気から内部熱交換器を介して熱を吸収すること、および、熱を絶縁コンテナの外側に移動させること、によってチャンバを冷却するように構成される。【選択図】図１
2019524604.tif 000002
【特許請求の範囲】
【請求項１】
能動冷却型廃棄物容器であって、
（ｉ）前記廃棄物を受容するための開口を有するチャンバを画定する内側壁と、（ｉｉ）前記内側壁を囲み、前記開口で前記内側壁と接合される外側壁と、を含む絶縁コンテナと、
閉じた位置の前記開口を介した前記チャンバに対するアクセスを防止するように、また、開いた位置の前記開口を介した前記チャンバに対するアクセスを可能にするように、構成されるカバーと、
前記チャンバに露出する内部熱交換器を含むヒートポンプであって、前記ヒートポンプは、前記チャンバ内の空気から前記内部熱交換器を介して熱を吸収すること、および、前記熱を前記絶縁コンテナの外側に移動させること、によって前記チャンバを冷却するように構成されるヒートポンプと、
を含む能動冷却型廃棄物容器。
【請求項２】
前記チャンバに実装され、空気を前記チャンバ内で循環させるように構成されるファンをさらに含む請求項１に記載の能動冷却型廃棄物容器。
【請求項３】
前記内側壁から離隔された前記内部熱交換器を支持する実装部材をさらに含む、請求項１または２に記載の能動冷却型廃棄物容器。
【請求項４】
前記内部熱交換器は、前記内側壁の表面にほぼ平行な平らな構成を有する、請求項３に記載の能動冷却型廃棄物容器。
【請求項５】
前記内部熱交換器は、ほぼ鉛直の配向を有する、請求項１から４のいずれか一項に記載の能動冷却型廃棄物容器。
【請求項６】
入口および出口を有するダクトをさらに含み、前記ファンは、前記チャンバから、前記出口で前記チャンバに戻るための前記ダクトの中に、空気を引くように構成される、請求項２から５のいずれか一項に記載の能動冷却型廃棄物容器。
【請求項７】
前記ダクトの前記出口は、前記内部熱交換器に隣接して配設され、空気を前記内部熱交換器に方向付ける、請求項６に記載の能動冷却型廃棄物容器。
【請求項８】
前記ダクトは、前記内側壁と前記外側壁との間に配設され、前記ダクトの前記入口および前記出口は、前記内側壁を貫通する、請求項６または請求項７に記載の能動冷却型廃棄物容器。
【請求項９】
前記ダクトは、前記カバー内に配設され、前記ダクトの前記入口および前記出口は、前記カバーの内側表面を貫通する、請求項６または請求項７に記載の能動冷却型廃棄物容器。
【請求項１０】
前記内部熱交換器をデフロストするために選択的に有効化されるように構成されるデフロスト要素をさらに含む、請求項１から９のいずれか一項に記載の能動冷却型廃棄物容器。
【請求項１１】
前記デフロスト要素は、前記内部熱交換器に結合された加熱要素を含む、請求項１０に記載の能動冷却型廃棄物容器。
【請求項１２】
前記デフロスト要素に接続され、デフロスト条件が充足されると検出するのに対応して前記デフロスト要素を自動的に有効化するように構成されるコントローラをさらに含む、請求項１０または請求項１１に記載の能動冷却型廃棄物容器。
【請求項１３】
前記コントローラは、前記ヒートポンプを自動的に有効化するようにさらに構成され、前記チャンバの内部温度をしきい値より下に維持する、請求項１２に記載の能動冷却型廃棄物容器。
【請求項１４】
前記しきい値は、水の凝固温度であるまたはそれより下である、請求項１３に記載の能動冷却型廃棄物容器。
【請求項１５】
前記絶縁コンテナは、デフロスト流出流体を前記内部熱交換器から前記絶縁コンテナの前記外部まで方向付けるために、前記内側壁のドレン入口から前記外側壁のドレン出口まで延びるドレンをさらに含む、請求項１から１４のいずれか一項に記載の能動冷却型廃棄物容器。
【請求項１６】
前記廃棄物を受容して保持するための前記チャンバ内のローディング位置と、前記チャンバから取り外されたアンローディング位置と、を有する取り外し式ビンをさらに含む、請求項１から１５のいずれか一項に記載の能動冷却型廃棄物容器。
【請求項１７】
前記取り外し式ビンを前記ローディング位置に整列させるための前記チャンバ内の案内構造をさらに含む、請求項１６に記載の能動冷却型廃棄物容器。
【請求項１８】
前記案内構造は、前記内側壁から前記チャンバの中に延びる突起を含み、前記取り外し式ビンは、前記取り外し式ビンを整列させるための前記突起と係合するように構成された相補的な窪みを含む、請求項１７に記載の能動冷却型廃棄物容器。
【請求項１９】
前記案内構造は、前記取り外し式ビンに実装された動力デバイスを受容および案内するための、前記内側壁の下側表面に画定された軌道を含む、請求項１７に記載の能動冷却型廃棄物容器。
【請求項２０】
前記取り外し式ビンのローディングおよびアンローディングのために構成された、前記絶縁コンテナの補助開口と、
閉じた位置の前記補助開口を介した前記チャンバに対するアクセスを防止するように、また、開いた位置の前記補助開口を介した前記チャンバに対するアクセスを可能にするように、構成された補助カバーと、をさらに含む、請求項１６から１９のいずれか一項に記載の能動冷却型廃棄物容器。
【請求項２１】
前記取り外し式ビンは、廃棄物収集バッグをその中に受容するように構成され、前記取り外し式ビンは、前記廃棄物収集バッグの一部分を把持するためのリテーナを含む、請求項１６から２０のいずれか一項に記載の能動冷却型廃棄物容器。
【請求項２２】
前記取り外し式ビンの少なくとも一部分は、穿孔される、請求項１６から２１のいずれか一項に記載の能動冷却型廃棄物容器。
【請求項２３】
前記カバーは、前記開いた位置と閉じた位置との間を移動するために前記絶縁コンテナに可動に結合される、請求項１から２２のいずれか一項に記載の能動冷却型廃棄物容器。
【請求項２４】
前記カバーは、支持構造に固定され、前記絶縁コンテナは、前記カバーを前記開いた位置および閉じた位置に配置するために前記支持構造に対して可動である、請求項１から２３のいずれか一項に記載の能動冷却型廃棄物容器。
【請求項２５】
前記ヒートポンプは、外部熱交換器をさらに含み、前記外部熱交換器は、前記絶縁コンテナの外側に配設され、前記内側壁および外側壁を通して前記内部熱交換器に接続され、前記外部熱交換器は、前記内部熱交換器によって吸収される熱を排出するように構成される、請求項１から２４のいずれか一項に記載の能動冷却型廃棄物容器。
【請求項２６】
前記内部熱交換器は、蒸発器を含み、前記外部熱交換器は、凝縮器を含む、請求項２５に記載の能動冷却型廃棄物容器。
【請求項２７】
前記ヒートポンプは、圧縮機をさらに含み、前記圧縮機は、前記絶縁コンテナの外側に配設され、前記内部熱交換器および前記外部熱交換器間に接続される、請求項２６に記載の能動冷却型廃棄物容器。
【請求項２８】
前記ヒートポンプは、熱電ヒートポンプを含む、請求項１から２５のいずれか一項に記載の能動冷却型廃棄物容器。
【請求項２９】
一時的な廃棄物の貯蔵の方法であって、
廃棄物を体積の中に置くステップと、
前記体積および廃棄物を水の凝固点より下まで冷却して、前記廃棄物中の水分を凍らせて、冷たい乾燥した大気を前記体積内に作り出すステップと、
前記水分を前記廃棄物から前記体積の前記冷たい乾燥した大気中に昇華のプロセスを介して抽出するステップと、
前記昇華した水分を前記体積内のより冷たい表面上の氷として析出のプロセスを介して収集するステップと、
前記氷を液体水の中に溶かして、前記水を除去のために収集するステップと、を含む方法。
【発明の詳細な説明】
【技術分野】
【０００１】
本明細書は、一般に廃棄物貯蔵装置に関し、詳細には、能動冷却型廃棄物容器に関する。
【背景技術】
【０００２】
商業、工業、医療、および居住の場所を含む様々な施設は、廃棄物を敷地外に搬送する前の一時的な廃棄物貯蔵装置を採用している。例えば、いくつかの自治体は、居住者や会社が食品および他の有機廃棄物を非有機廃棄物から分離するランドフィル・ダイバージョン・プログラムを実施してきた。自治体のコンポスト化の施設への搬送前にビンやバッグに典型的に貯蔵される有機廃棄物の得られる収集物は、悪臭を発生させ、害虫を引き寄せ、疾患や感染の源泉を潜在的に呈する場合がある。
【０００３】
有機廃棄物の収集物のさらなる例は、自治体の収集前の汚れたおむつの一時的な貯蔵と、最終処分（例えば、焼却を経た）より前の様々なタイプの医療廃棄物の一時的な貯蔵と、を含む。これらの収集物は、不快なにおいを招く場合があり、また、感染のリスクを呈する場合もある。
【０００４】
廃棄物、特に、有機廃棄物、の一時的な現場での貯蔵による上記の課題は、自治体の廃棄物プログラム（例えば、ユーザが有機ごみの仕分けを単純に止めてしまうかもしれない）、医療施設の手続き（例えば、作業者がある種の廃棄物を不適切に処分し、あるいは、収集容器が空になる頻度を増加させ、人件費や材料費を上昇させるかもしれない）、および同様のもの、についてのコンプライアンスの低下を招く場合がある。
【０００５】
様々な試みが、上の問題を緩和するために、冷却を用いて、行われてきた。例えば、特許文献１は、廃棄物容器を説明しており、その内部は、容器の壁内の冷却コイルを介して冷却される。次に、コイルは、家庭用の冷蔵庫などの外部ソースによって誘導されるヒートポンプによって冷却される。特許文献２も、廃棄物容器を説明しており、冷却コイルは、内側壁内に収容され、圧縮機を採用する蒸気冷凍サイクルによって冷却される。
【０００６】
特許文献３は、ハイブリッドごみ圧縮機およびフリーザとして働くシステムを説明しており、濡らすこと、圧縮すること、および（単純に冷却するというよりもむしろ）凍結することを用いてごみの氷結パックを生成する。
【０００７】
特許文献４は、廃棄物コンテナを説明しており、コンポスト、医療廃棄物、および、おむつなどの有機廃棄物材料を冷たい低湿度の環境中に貯蔵することによってバクテリアの成長を減少させる。この例では、ＵＶライトも、バクテリアの成長をさらに減少させるために組み込まれる。先の例と同様に、冷却コイルは、体積の内側壁内に収容される。
【０００８】
特許文献５は、湿気を引き出す目的でスラッジを凍結することによって、液体下水スラッジを処理する工業方法を説明しており、下水を粉末に変化させるためにスラッジを効果的にフリーズドライする。特許文献６は、廃棄物を凍結のすぐ上の温度まで同一大気を共有する別区画で冷却すること、液体水を冷却コイルに凝縮によって蓄積すること、その後に凝縮物が収集器に流出して家の大気中に蒸発できるようにすること、によって、家庭の廃棄物を脱水することを提案している。
【０００９】
さらなる例として、特許文献７は、有機廃棄物やコンポストのための廃棄物容器を説明しており、その内部は、ペルチェ効果を採用する熱電気デバイスによって冷却される。
【先行技術文献】
【特許文献】
【００１０】
【特許文献１】米国特許第３０４１８５２号
【特許文献２】米国特許第３１６１０３０号
【特許文献３】米国特許第３６５０１２０号
【特許文献４】米国特許第５１８１３９３号
【特許文献５】米国特許第５６１４１０７号
【特許文献６】米国特許第６０９２３８２号
【特許文献７】独国実用新案第ＤＥ２０３１１０６６Ｕ１号
【発明の概要】
【発明が解決しようとする課題】
【００１１】
におい、害虫の引き寄せおよび同様のものの発生を減らしながら、有機廃棄物を取り扱うための上記の試みは、様々な欠点を被る。例えば、冷却コイルの配置は、そのようなデバイスの製造および保全を複雑化させること、ならびに、デバイスの冷却効果を低下させることがある。上で述べたデバイスのいくつかは、ユーザがローディングおよびアンローディングをするのが困難なこともある。
【課題を解決するための手段】
【００１２】
本明細書の態様に従って、能動冷却型廃棄物容器が提供され、（ｉ）廃棄物を受容するための開口を有するチャンバを画定する内側壁と、（ｉｉ）内側壁を囲み、開口で内側壁と接合する外側壁と、を含む絶縁コンテナと、閉じた位置の開口を介したチャンバに対するアクセスを防止するように、また、開いた位置の開口を介したチャンバに対するアクセスを可能にするように、構成されるカバーと、チャンバに露出する内部熱交換器を含むヒートポンプと、を含み、ヒートポンプは、チャンバ内の空気から内部熱交換器を介して熱を吸収すること、および、熱を絶縁コンテナの外側に移動させること、によってチャンバを冷却するように構成される。
【００１３】
実施形態については、以下の図面を参照して説明する。
【図面の簡単な説明】
【００１４】
【図１】非限定の実施形態に係る、取り外し式ビンが省略されている、能動冷却型廃棄物容器の前方正射切断図である。
【図２】非限定の実施形態に係る、図１の容器の側面断面図である。
【図３】非限定の実施形態に係る、図１の容器の取り外し式ビンを示す図である。
【図４】他の非限定の実施形態に係る、開いた位置の能動冷却型廃棄物容器の後方正射図である。
【図５】他の非限定の実施形態に係る、閉じた位置の図４の容器の側面部分断面図である。
【図６】他の非限定の実施形態に係る、閉じた位置の図４の容器の前方正射図である。
【図７】別の非限定の実施形態に係る、能動冷却型廃棄物容器の前方正射切断図である。
【図８】別の非限定の実施形態に係る、図７の容器の後方正射図である。
【図９】別の非限定の実施形態に係る、図７の容器の分解図である。
【図１０】さらに別の非限定の実施形態に係る、取り外し式カートがアンローディング位置である、能動冷却型廃棄物容器の前方正射切断図である。
【図１１Ａ】さらに別の非限定の実施形態に係る、図１０の容器の後面図である。
【図１１Ｂ】さらに別の非限定の実施形態に係る、図１１Ａに示すような容器のある種の部品の詳細図である。
【図１２】さらに別の非限定の実施形態に係る、取り外し式カートがローディング位置である、図１０の容器の前方正射切断図である。
【発明を実施するための形態】
【００１５】
図１〜３は、第１の実施形態に係る能動冷却型廃棄物容器１００（単に、容器１００とも称される）を示す。本実施形態では、容器１００は、ヒートポンプ（例えば、蒸気圧縮ヒートポンプ、熱電ヒートポンプ、吸収ヒートポンプまたは同様のもの）および絶縁コンテナ１０１を含むスタンドアロンのフリーザ器具である。絶縁コンテナ１０１は、任意の様々な廃棄物（例えば、有機廃棄物）を受容するための開口１０１−３を有するチャンバ１０１−２を画定する内側壁１０１−１を含む。また、絶縁コンテナ１０１は、内側壁１０１−１を囲み開口１０１−３で内側壁１０１−１に接合する外側壁１０１−４を含む。内側壁および外側壁１０１−１および１０１−４の種類は、特に限定されない。壁は、任意の適切な材料で作られる場合があり、また、絶縁材料を包含するキャビティをそれらの間に画定する場合がある。他の実施形態では、壁および絶縁材料は、単一の材料から製作される一体部品である場合があり、壁１０１−１および１０１−４は、単にその部品の内側および外側の表面である場合がある。
【００１６】
また、容器１００は、カバーを含み、カバーは、本実施形態では、コンテナ１０１を上部からシールおよび取り囲みするための絶縁蓋１０２である（下記から理解されるであろうが、カバーに関して他の配向も考慮される）。蓋１０２は、閉じた位置の開口１０１−３を介したチャンバ１０１−２に対するアクセスを防止するように、また、開いた位置の開口１０１−３（図１に示す）を介したチャンバ１０１−２に対するアクセスを可能にするように、構成される。本例では、蓋１０２は、例えば、ヒンジを介して、コンテナ１０１に可動に連結される。他の実施形態では、蓋１０２は、コンテナ１０１に可動に連結されるというよりもむしろ、コンテナ１０１から取り外し可能である場合がある。蓋１０２は、コンテナ１０１の内側壁１０１−１によって形成される中間舌部１０４と共に実質上気密シールを形成するためのガスケット１０３を有する。
【００１７】
上で述べたヒートポンプは、コンテナ１０１の中に収容されてチャンバ１０１−２にさらされる（すなわち、内側壁および外側壁１０１−１、１０１−４間に埋め込まれるというよりもむしろ、チャンバ１０１−２内の空気に直接さらされる）本実施形態では蒸発器１０５（具体的には、他のタイプの蒸発器も採用できるが、ロールボンドタイプ蒸発器）である内部熱交換器を含む。さらに、本実施形態では、蒸発器１０５は、内側壁１０１−１から離隔された（すなわち、図１に示すように、コンテナ１０１の後部壁から遠ざけられた）チャンバ１０１−２内で実装部材（例えば、蒸発器自体の一部分であり得る）によって支持される。こうして、チャンバ１０１−２内の空気は、蒸発器１０５の内側サイド（すなわち、チャンバ１０１−２の中央に最も近いサイド）に沿ってだけでなく、蒸発器１０５と最も近い内側壁１０１−１との間にも走行する場合がある。
【００１８】
内部熱交換器（すなわち、本実施形態では、蒸発器１０５）は、実質上平面的な構成を有し、内側壁１０１−１の表面に実質上平行に実装される。特に、図１に示す実施形態では、蒸発器は、（容器１００が使用中のときに見られるように）実質上鉛直に位置決めされる。
【００１９】
ヒートポンプは、様々な構成を有する場合がある。上で述べたように、本例では、ヒートポンプは、蒸気圧縮ヒートポンプであり、こうして、蒸発器１０５は、連結冷却配管１０８（ヒートポンプ回路を完成させる）を介して、コンテナ１０１の壁を通して、圧縮機１０６および凝縮器１０７の形式の外部熱交換器に連結される。外部熱交換器は、内部熱交換器によって吸収された熱をチャンバ１０１−２から排出する。より具体的には、本実施形態では、冷却流体は、蒸発器１０５への膨張弁またはキャピラリ（図示せず）によって計量され、したがって、流体は、蒸発器１０５内のガス中に膨張して熱をチャンバ１０１−２から吸収する。流体は、その後に圧縮機１０６に進んで、凝縮器１０７を通って進む前に圧縮され、凝縮器は、流体が膨張弁またはキャピラリを介して蒸発器１０５に戻る前に、熱を流体から除去する。
【００２０】
図１に示す実施形態は、鉛直に統合される。換言すると、圧縮機１０６、凝縮器１０７、および凝縮器ファン１０９は、コンテナ１０１の下で、使用時に容器１００の底部を形成するベース１１０内に収容される。複数のパイロン１１１は、ベース１１０をコンテナ１０１に連結する。蓋１０２は、コンテナ１０１の上部に静止している。シェル１１２は、設けられる場合があり、ベース１１０およびコンテナ１０１の上に適合して、容器１００の外観を形成し、容器１００の内部部品に対する保護を提供する。
【００２１】
容器１００は、蓋１０２を持ち上げて（すなわち、蓋１０２を閉じた位置から開いた位置に移動させるための）チャンバ１０１−２に対するアクセスを可能にするためのリフト機構を含む場合がある。図１の実施形態のリフト機構は、ハンズフリーであり、蓋１０２に機械式リンク１１４を介して連結されたペダル１１３を含み、蓋１０２と端部１１５で係合し、蓋１０２をヒンジ１１６のまわりに回転させることによって蓋１０２の開閉を作動させる。代替的に、ハンズフリー作動の手段は、作動に役立つように引張ばねと対を成すこともあるソレノイドやセンサまたは接点（例えば、ボタン、スイッチ、近接センサまたは同様のもの）である場合がある。ヒンジ１１６は、本実施形態では、シェル１１２および／またはコンテナ１０１の上部後ろ側に取り付けられる。
【００２２】
また、容器１００は、チャンバ１０１−２内に実装されて空気をチャンバ１０１−２内に循環させるように構成されたファンを含む場合もある。本例では、ファン１１７は、蓋１０２の内側表面（すなわち、蓋１０２を閉じたときのチャンバ１０１−２に面している表面）に埋め込まれる。他の実施形態では、下記で非常に詳細に論じられるように、ファン１１７は、内側壁１０１−１に埋め込まれる場合がある。ファン１１７は、チャンバ１０１−２内の空気を蒸発器１０５の上に直接流れるようにさせるのに役立つことが好ましい。本実施形態では、ファン１１７は、入口および出口を有するダクト１１８（図２に最も明瞭に示されている）を経由して空気を蒸発器１０５の上に方向付けるために使用可能にされる。ファン１１７は、入口を介して空気をダクト１１８の中に引き込むためおよび空気を出口から放出するために配置される。図２から理解されるように、出口は、蒸発器１０５の上に配設され、したがって、ダクト１１８からチャンバ１０１−２に戻される空気は、蒸発器１０５に沿って流れる。
【００２３】
他の実施形態では、ダクト１１８は、蓋１０２やコンテナ１０１の壁の中に埋め込まれる必要がない。代わりに、例えば、ダクトは、内側壁１０１−１に実装される（したがって、チャンバ１０１−２の中に突出する）場合がある。
【００２４】
本実施形態では、蓋１０２およびコンテナ１０１間のインターフェースは、蓋１０２の一部分（本例では、蓋１０２の体積の大部分を代表しているその部分）がコンテナ１０１の上側壁の中に入れ子式になるように形状付けられる。これは、内側壁１０１−１を開口１０１−３に隣接して外向きにフレア処理すること、および、蓋１０２の底部を内向きにテーパ付けすること、によって達成され、テーパ付けされた蓋体積インターフェースを作り出す。これは、テーパ付けされたバッフル１１９（図２参照）を作り出し、チャンバ１０１−２と容器１００の外側と間の空気流れを阻止すると共に、通気および空気漏れを低減または防止することによってチャンバ１０１−２上の蓋１０２のシール性をさらに高める。スロット１２０（図２参照）は、蓋１０２のエッジまわりに、ガスケット１０３を取り付けるための準備として、設けられる場合がある。また、この入れ子式構成は、審美的に心地の良い外観も提供し、蓋１０２の見える程度を減らして、閉じたときに薄いように見せ、また、ガスケット１０３を視界から隠す。
【００２５】
また、容器１００は、廃棄物を受容および保持するためのチャンバ１０１−２内のロード位置と、チャンバ１０１−２から取り外された（例えば、廃棄物を空にするための）アンロード位置と、を有する取り外し式ビン１２１（図２および３参照）を含む場合もある。取り外し式ビン１２１は、取り外し式バッグまたはライナ１２２（図２参照）を保持する場合がある。取り外し式ビン１２１は、１つまたは複数の穴またはクリップなどのバッグ１２２の一部分を把持するためのリテーナを含む場合がある。本実施形態では、リテーナは、バッグ／ライナ保持穴１２３に適合することによって設けられる。図３に示す実施形態では、穴１２３は、ビン１２１の４側面の個々に設けられる。しかしながら、他の実施形態では、様々な他の穴構造が採用される場合がある。動作において、バッグ１２２の一部分は、各穴１２３（図２参照）に挿入されて保持され、バッグ１２２をビン１２１の形状に適合させるのに役立つ。ビン１２１は、普通のプラスチック製のレジ袋に適合するために寸法決めおよび形状付けされる場合がある。ビン１２１は、実施形態によっては、ビン１２１に対するバッグの粘着を減らすために、その内側表面に穿孔またはテクスチャ付けすることを含む場合もある。
【００２６】
ビン１２１の、チャンバ１０１−２からのローディングおよびアンローディングに役立つために、ビン１２１は、対向する端部がビン１２１の対向する側面に取り付けられたハンドル１２４を含む場合がある。ハンドル１２４は、ビン１２１を容器１００から取り外すためにハンドル１２４を上げることと、チャンバ１０１−２内にビン１２１を配置すると直ぐにハンドル１２４を下げることと、を可能にするように回転可能である場合がある。ビン１２１は、その壁から外方に延びるハンドル・ストッパ１２５（図３参照）を含む場合があり、したがって、ハンドル１２４は、直立した位置に静止しているが、ビン１２１の開きを妨害しない。ハンドル１２４は、本実施形態では、対向するペアのバッグ／ライナ保持穴１２３の下でビン１２１に取り付けられる。他の実施形態では、ハンドル１２４は、ビン１２１に任意の他の適切なやり方で連結される場合があり、あるいは、単純に省略される場合がある。
【００２７】
コンテナ１０１は、案内構造をチャンバ１０１−２内に含む場合がある。例えば、図１から理解されるように、内側壁１０１−１は、チャンバ１０１−２の中に延びる突起１２６（２つの突起が、本実施形態では、チャンバ１０１−２の対向する側面に設けられる）を含む。ビン１２１は、突起１２６と形状が調和すると共に取り外し式ビン１２１をチャンバ１０１−２内部と整列させるために突起１２６と係合する相補的な窪み１２７（再び、本実施形態では、２つの窪み１２７が設けられる）を有する。内側壁１０１ｓは、対流的な空気流れを助けるためにビン１２１の側面および下のまわりの空気流れを容易にするために形状付けおよび寸法決めされ、その一方、ビン１２１が静止するための平らな表面も提供する（図１に示す内側壁１０１−１の底部の窪みを参照）。
【００２８】
また、容器１００は、累積フロストの構築を除去するデフロスト機構も含み、それは、本実施形態では、蒸発器１０５に取り付けられる加熱要素１２８（デフロスト・パッドとも呼ぶ）である。デフロスト・パッド１２８は、電気的に動力供給される抵抗ストリップである場合があり、定期的に蒸発器１０５の温度を水の凝固点より上に上げるのに役立つ（チャンバ１０１−２の温度が氷点より下に導かれる実施形態では）。蒸発器１０５がデフロスト・パッド１２８によって温められるとき、蒸発器１０５上に構築された任意のフロストは、溶けて蒸発器１０５から流れ出る。
【００２９】
コンテナ１０１の壁の底部に形成されるのは、排液トラフ１２９である（図２に最も容易に見られる）。実施形態によっては、追加のデフロスト・パッドが設けられる場合もある。例えば、排液トラフ・デフロスト・パッド１３０は、排液トラフ１２９の壁に取り付けられる。トラフ１２９の底部には、ドレン１３１があり、内側壁１０１−１のドレン入口からコンテナ１０１を通って外側壁１０１−４のドレン出口まで延びている。ドレン１３１は、デフロスト流出流体を、蒸発器１０５から（より一般的には、チャンバ１０１−２から）コンテナ１０１の外側まで、本例では、ドレン・パン１３３に流れ出るＰトラップ１３２を介して、方向付ける。本実施形態では、ドレン・パン１３３は、圧縮機１０６の上に実装される。しかしながら、他の実施形態では、ドレン・パン１３３は、任意の他の適切な場所に配置される場合がある。また、ドレン・パン１３３は、省略される場合もある（例えば、ドレン１３１は、水を都市ネットワークに接続された廃水配管の中に方向付けることがある）。
【００３０】
容器１００は、パワー・コード１３４（図２参照）を介して標準的な家庭アウトレットなどの任意の適切な電気動力源によって動力供給される。他の動力源も、バッテリ、ソーラー・パネルまたは同様のものなど、企図される。加えて、当業者にとって明らかであろうことは、実施形態（例えば、吸収ベースのヒートポンプを採用する実施形態）によっては電気動力が必要とされないことがある、ということである。容器は、コントローラとも呼ばれる電子制御ユニット１３５（例えば、サーモスタット、冷却タイマ、およびデフロスト・タイマのうちのいずれか１つまたはそれらの任意の適切な組合せを実施する印刷回路基板または他の電子デバイス）を介して制御される。制御ユニット１３５は、ヒートポンプをいつ活動化させるかを決定するために、主要な温度または湿度センサ１３６を用いて、コンテナ１０１の内部から温度をサンプリングする。デフロスト温度センサ１３７は、デフロスト・サイクルを制御する蒸発器１０５上に位置することがある。例えば、コントローラ１３５は、蒸発器の温度（センサ１３７を介した測定時）が所定のしきい値を超えて上がるときに、デフロスト・パッド１２８および１３０を自動的に有効化するように構成される場合がある。同様に、コントローラ１３５は、チャンバ１０１−２の温度が他の所定のしきい値（例えば、摂氏ゼロ）を超えて上がるときに、チャンバ１０１−２を冷却するためにヒートポンプを自動的に有効化するように構成される場合がある。
【００３１】
動作では、容器１００は、例えば、パワー・コード１３４を介して、電気動力（上で述べたように、必要に応じて）が提供される。制御ユニット１３５は、主要な温度センサ１３６を通して、チャンバ１０１−２の温度をサンプリングして、圧縮機１０６の動作を開始させる。その結果、蒸発器１０５は、本実施形態では氷点下（摂氏）温度まで冷却されることになろう。同時に、コントローラ１３５は、ダクト１１８を介して空気を蒸発器１０５に通すことを含むチャンバ１０１−２内の空気の循環を始めるために内部ファン１１７を有効化するように構成される。これは、体積１０１内の空気（および後続の廃棄物）の温度を水の凝固点より下まで低下させるであろう。
【００３２】
上とは無関係に、ユーザは、ビン１２１をコンテナ１０１から取り外して、ビン１２１の中にバッグ１２２を取り付けることがある。これは、バッグ１２２をビン１２１の中に配置し、次いで、バッグ１２２の開口をビン１２１の上部エッジまわりに形成する、ことによって達成される。バッグ１２２は、その後にバッグの部分（例えば、レジ袋のハンドル）を保持穴１２３の中に挿入することによって、この形状に保たれる。これは、ハンドル１２４を下方に保持穴１２３から遠くに回転させること（図３の破線で示すように）、その後にバッグ１２２の上部エッジの部分を保持すること、上部エッジを引っ張ってビン１２１の外側エッジまわりに張りつめること、によって達成される。ユーザは、その後にハンドル１２４を上に再度回転させて、開口１０１−３を介してビン１２１を元のコンテナ１０１の中に置くことがある。そうするときに、コンテナ１０１の内側壁１０１−１に形成された突起１２６は、ビン１２１に形成した窪み１２７と係合させることによってビン１２１を整列させるのに役立つ。上で述べた案内構造同士の係合は、ビン１２１をコンテナ１０１内に一貫して着座させ、体積１０１内の適切な空気流れを確実化する。内部ファン１１７は、空気をチャンバ１０１−２の全体にわたって能動的に循環させることによって、チャンバ１０１−２内の温度勾配の発生範囲を減らす。
【００３３】
ユーザは、ペダル１１３を押し下げることによって蓋１０２を開くことができ、機械式リンク１１４を介して蓋１０２をヒンジ１１６まわりに旋回させる。代替的に、ユーザは、手で蓋１０２を持ち上げるかまたは取り外すことができる。ユーザは、その後に廃棄物をビン１２１内に収容されたバッグ１２２の中に置くことがあり、次いで、ペダル１１３を解放して蓋１０２を閉じる（あるいは、蓋１０２が手動で動作する実施形態では蓋１０２を手動で移動させる）。
【００３４】
コンテナ１０１の中のローディング位置のビン１２１の内部のバッグ１２２内に収容された廃棄物の場合、廃棄物を、好ましくは氷点より下の温度まで、冷却することは、腐敗や悪臭の放出を低減または排除する。さらに、昇華および析出のプロセスは、チャンバ１０１−２内で起こることがあり、廃棄物からの湿気は、チャンバ１０１−２内の冷たい乾燥した空気の中に引かれて、蒸発器１０５のより冷たい表面上に堆積する。制御ユニット１３５によるデフロスト・パッド１２８および１３０の周期的な活動化は、蒸発器１０５に堆積したフロストを水に溶かし、それは排液トラフ１２９に流れ出る。水は、その後にトラフの底部のドレン１３１を通って、Ｐトラップ１３２を通って、ドレン・パン１３３の中に出る。先に述べたように、本実施形態では、ドレン・パン１３３は、圧縮機１０６上に位置しており、水は、圧縮機１０６からの廃熱エネルギによって助成された大気中に蒸発する。
【００３５】
ビン１２１がいっぱいであるとき、ユーザは、ビン１２１をコンテナ１０１から開口１０１−３を介して取り外すことがあり、現在凍り付いた廃棄物を収容しているバッグ１２２を、据え付け（上で詳述したような）とは逆の順番で、取り外し、次いで、バッグ１２２を新しいものと交換し、さらなる廃棄物の収集のために、ビン１２１をコンテナ１０１の中に戻して配置する。
【００３６】
実施形態は、ビン１２１なしで、バッグ１２２を直接チャンバ１０１−２の中に配置することによって機能することもある。実施形態によっては、バッグ１２２は、省略されることもあり、（汚れたおむつなどの）廃棄物は、直接チャンバ１０１−２の中に置かれることもある。そのような使用方法は、チャンバ１０１−２内の廃棄物のための使用可能な体積を増加できるが、現時点では、チャンバ１０１−２内の空気流れを減らす可能性と、蒸発器１０５および内側壁１０１−１を汚す可能性と、のせいで好ましくない。
【００３７】
ここで、図４〜６を参照すると、他の実施形態に係る能動冷却型廃棄物容器２００が例証されている。容器１００の対応する部品に類似の容器２００の部品は、容器１００と関連して、上で紹介したのと同じ参照数字だが添え字「ａ」を備えて番号付けされる。
【００３８】
こうして、容器２００は、開口１０１−３ａを備えたチャンバ１０１−２ａを画定する、外側壁１０１−４ａによって囲まれた（そして、外側壁１０１−４ａに開口１０１−３ａで接合された）内側壁１０１−１ａを含むコンテナ１０１ａを含む。開口１０１−３ａは、中間舌部１０４ａと係合するガスケット１０３ａを有する蓋１０２ａによって閉じられる場合がある。加えて、蓋１０２ａおよび内側壁１０１−１ａは、バッフル１１９ａを提供するように開口１０１−３ａの近くでテーパ付けされる。コンテナ１０１ａは、パイロン１１１ａによって支持され、また、内部熱交換器１０５ａを収容する。本実施形態では、内部熱交換器は、蒸発器であり、また、ヒートポンプの部品であり、圧縮機１０６ａと、流体配管１０８ａによって蒸発器１０５ａに連結されて凝縮器ファン１０９ａによって冷却される凝縮器１０７ａと、を含む。
【００３９】
容器２００は、チャンバ１０１−２ａ内に実装されたファン１１７ａ、ならびに、空気を蒸発器１０５ａに方向付けるためのダクト１１８ａ、を含む場合がある。蒸発器１０５ａは、デフロスト・パッド（図示せず）を含む場合があり、チャンバ１０１−２ａは、流体をチャンバ１０１−２ａから除去するために、および、ｐトラップ１３２ａを介してドレン・パン１３３ａに収集するために、デフロスト流出流体をドレン１３１ａに方向付けるための（図示しないデフロスト・パッドを含む場合もある）ドレン・トラフ１２９ａを含む。
【００４０】
コントローラ１３５ａは、センサ（図示せず）を介してチャンバ温度をモニタする場合があり、また、他のセンサ（図示せず）を介して蒸発器１０５ａの温度をモニタする場合もある。容器２００のモニタ状態に基づいて、コントローラ１３５ａは、上で述べたヒートポンプおよびデフロスト・パッドを自動的に有効化および無効化する場合がある。
【００４１】
バッグ保持穴１２３ａおよびハンドル１２４ａを有するビン１２１ａは、ビン１２１ａの中に支持されたバッグ（図示せず）内の廃棄物を収集するために、チャンバ１０１−２ａの中にローディングされる場合がある。ビン１２１ａは、ビン１２１ａを整列させるためにコンテナ１０１ａの内側壁１０１−１ａに形成された相補的な突起１２６ａと係合するための窪み１２７ａを含む場合がある。
【００４２】
容器２００は、例えば、カウンタトップ２０２の下のキャビネット２０１に統合されたフリーザ器具として構成される。容器２００は、容器１００と同様に、鉛直に統合されることがある。代替的に、図４に例証するように、ヒートポンプ部品は、コンテナ１０１ａの傍らまたは後ろ側に位置決めされる場合がある。
【００４３】
圧縮機１０６ａ、凝縮器１０７ａ、および凝縮器ファン１０９ａは、可動式ベース２０３に実装される。熱排出ダクト２０４は、キャビネット２０１の外側に設けられて、凝縮器１０７ａによって熱が駆逐されるのを可能にする。ベース２０３は、レール２０５上に実装されて、ベース２０３がキャビネット２０１の内および外に摺動するのを可能にされる。コンテナ１０１ａは、上で述べたように、パイロン１１１ａによってベース２０３上に支持されるが、他の実施形態では、コンテナ１０１ａは、ベース２０３の上に直接座ることがある。コンテナ１０１ａのための支持の構造は、キャビネット２０１の深さに依存することがある。ベース２０３の摺動運動は、受動的であってユーザによって実行され、あるいは、能動的であって電気機械機構（例えば、スイッチ、近接センサ、または同様のものによって活動化されるリニア・アクチュエータ）を介して実行されることがある。
【００４４】
代替的に、ベース２０３は、ヒンジによってキャビネット２０１にリンク結合されることがあり、外方に旋回し、また、ユーザによって作動され、電気機械手段を介して実行される。さらなる変形例では、ベース２０３は、突出して次いで旋回するように、摺動レール２０５およびヒンジの双方によってキャビネット２０１にリンク結合されることがある。
【００４５】
本実施形態では、蓋１０２ａは、近接センサ２０７（図６参照）などのスイッチによって活動化されるソレノイド・アクチュエータなどのリトラクタ２０６によって上方（カウンタトップ２０２に向けて開口１０１−３ａから遠く）に収縮する。リトラクタ２０６は、蓋１０２ａを僅かに持ち上げるように作用して、ガスケット１０３ａがコンテナ１０１ａの中間舌部１０４ａから係合解除するのを可能にし、コンテナ１０１ａがキャビネット２０１から外に邪魔されずに摺動するのを可能にする。代替的に、機械式リンク（摺動カムやプッシュロッドなど）は、ベース２０３の動きと共に蓋１０２ａを持ち上げるために使用される場合がある。
【００４６】
代替的に、蓋１０２ａは、キャビネット・カウンタトップ２０２の切り抜き（図示せず）を介してアクセス可能なことがあり、そのケースでは、蓋１０２ａは、（図１〜３に関連して先に説明した蓋１０２の動きと同様に）開いてチャンバ１０１−２ａを露出するのに旋回だけ必要になるであろう。
【００４７】
キャビネット２０１の外側に面している容器２００の外装は、カバーまたはシェルを有する場合があり、容器２００が閉じられるときに、隣接するカップボードと面一になるように構成されることがある。例えば、容器２００は、隣接するキャビネットと直接溶け合うようにコンテナ１０１ａの前面に固定されるキャビネット面２０８を含む場合がある。面２０８は、１つまたは複数の上で述べたセンサ２０７、ハンドル２０９、または、ユーザが容器２００を開くのを可能にする他の構造（例えば、図示しないペダル）、を含む場合がある。
【００４８】
容器２００の動作は、容器１００の動作と同様である。動力は供給され（必要に応じて、例えば、図示しない電気コードを介して）、ヒートポンプは、チャンバ１０１−２を冷却し、内部ファン１１７ａは、空気を循環させ、ビン１２１ａは、バッグ１２２ａで内張りされる。
【００４９】
しかしながら、容器１００の動作と対照的に、一時的な廃棄物の貯蔵のための容器２００にアクセスするために、１つまたは複数のセンサ２０７、ハンドル２０９、ペダルまたは同様のものは、活動化される。そのような活動化は、ソレノイド２０６を誘発して（例えば、コントローラ１３５ａは活動化を検出してソレノイド２０６を引き起こさせる場合がある）、蓋１０２ａを開口１０１−３ａから係合解除させて、ベース２０３がカップボード２０１から外に摺動するのを可能にし、コンテナ１０１ａを露出させる。ユーザは、その後にビン１２１ａの中に収容されたバッグの中に廃棄物を置くことがあり、次いで、コンテナ１０１ａを摺動および／または旋回させてキャビネット２０１の中に戻す。代替的に、ユーザは、ビン１２１ａをコンテナ１０１ａから取り外すことがあり、それを廃棄物の収集用のカウンタトップ２０２上に配置して、それらの終了時にビン１２１を再挿入する。いったんコンテナ１０１ａがキャビネット２０１の中に収容されると、蓋１０２ａは、再係合して（例えば、コントローラ１３５ａは、コンテナ１０１ａの再挿入を検出する場合があり、ソレノイド２０６に蓋１０２ａを閉じた位置まで移動させる）、開口１０１−３ａをシールする。いったん廃棄物が内部体積の中に収容されると、上で説明したような凍結、昇華、および析出のプロセスは、においを妨げてバクテリアの成長および廃棄物の腐敗を低減または排除するために起こる。同じく先に説明したように、自動的なデフロストは、定期的に開始される場合があり、蒸発器１０５が過剰なフロスト構築を免れるように保持される。
【００５０】
ここで、図７〜９を参照すると、他の実施形態に係る能動冷却型廃棄物容器３００が例証されている。容器１００の対応する部品に類似の容器３００の部品は、容器１００と関連して、上で紹介したのと同じ参照数字だが添え字「ｂ」を備えて番号付けされる。
【００５１】
こうして、容器３００は、開口１０１−３ｂを備えたチャンバ１０１−２ｂを画定する、外側壁１０１−４ｂによって囲まれた（そして、外側壁１０１−４ｂに開口１０１−３ｂで接合された）内側壁１０１−１ｂを含むコンテナ１０１ｂを含む。開口１０１−３ｂは、中間舌部１０４ｂと係合するガスケット１０３ｂを有する蓋１０２ｂによって閉じられる場合がある。蓋１０２ｂは、ヒンジ１１６ｂを介して閉じた位置および開いた位置の間を移動する。加えて、蓋１０２ｂおよび内側壁１０１−１ｂは、バッフル１１９ｂを提供するように開口１０１−３ｂの近くでテーパ付けされる。コンテナ１０１ｂは、ヒートポンプの部品である内部熱交換器１０５ｂを収容し、また、ファン１０９ｂによって冷却される外部熱交換器１０７ｂを含む。容器３００は、空気を熱交換器１０５ｂに方向付けるためのチャンバ１０１−２ｂ内に実装されたファン１１７ｂを含む場合がある。
【００５２】
コントローラ１３５ｂは、センサ（図示せず）を介してチャンバ温度をモニタする場合があり、また、他のセンサ（図示せず）を介して熱交換器１０５ｂの温度をモニタする場合もある。容器３００のモニタ状態に基づいて、コントローラ１３５ｂは、容器３００の冷却およびデフロスト機能を自動的に有効化および無効化する場合がある。コントローラ１３５ｂおよび他の部品は、電気コード１３４ｂあるいは任意の他の適切な動力源を介して、動力供給される場合がある。
【００５３】
バッグ保持穴１２３ｂおよびハンドル１２４ｂを有するビン１２１ｂは、ビン１２１ｂの中に支持されたバッグ（図示せず）内の廃棄物を収集するために、チャンバ１０１−２ｂの中にローディングされる場合がある。ビン１２１ｂは、熱交換器１０５ｂおよびファン１１７ｂを適合させるための、また、チャンバ１０１−２ｂ内のビン１２１ｂの整列を助けるための、窪み１２７ａを含む場合がある。
【００５４】
容器３００は、カウンタ（例えば、キッチン・カウンタ）に適合するように寸法決めされたフリーザ器具として構成される。内部熱交換器１０５ａは、（先の実施形態の場合のような蒸気圧縮というよりむしろ）熱電ヒートポンプの部品である。内部熱交換器１０５ｂは、したがってヒートシンクとして実施され、ヒートポンプは、ペルチェ効果を採用して高温側および低温側を有する熱電デバイス３０１も含む。当業者に明らかであろうように、デバイス３０１の高温側および低温側は、切り替え可能であり、各側の状態は、下で説明するように、容器３００が冷却中かまたはデフロスト中かどうかに依存する。
【００５５】
外部熱交換器１０７ｂもヒートシンクであり、防護カバー３０５によってカバーされる場合がある。ヒートシンク１０５ｂおよび１０７ｂは、プレート・ヒートシンクとフィン・ヒートシンクである。他の実施形態では、ヒートシンク１０７ｂは、液体冷却型ヒートシンク（例えば、冷却ブロックをデバイス３０１上に実装して、流体をそれらの間に循環させて、流体が放熱器にポンプで通されて、流体の収集した熱が消散される）と交換される場合がある。他の実施形態では、容器３００のヒートポンプは、先に議論したヒートポンプなどの蒸気圧縮ヒートポンプと交換されることがある。
【００５６】
ビン１２１ｂは、取り外し式バスケットの形式で提供される（したがって、バスケット１２１ｂとも称される）。バスケットは、穿孔またはメッシュ状シート材料（例えば、プラスチック、アルミニウム、または同様のもの）から作られ、空気が通って流れるのを可能にし、バスケット１２１ｂの内容物に対する冷却効果を向上させている。バスケット１２１ｂは、内部体積の全体にわたる対流空気流れを案内するように形状付けされる場合がある。ダクト構造または空気流れチャネル（図示せず）は、蓋１０２ｂおよびバスケット１２１ｂの壁の中に形状付けされることもある。このバスケットは、平らなリム３０７を有し、それがコンテナ１０１ｂの中間舌部１０４ｂ上に座るのを可能にする。これは、コンテナ１０１ｂ内でバスケットの残部を吊っており、空気がバスケット１２１ｂおよびその内容物のまわりと下面を循環するのを可能にする。バスケット１２１ｂは、２つの切り抜きハンドル３０８を包含し、コンテナ１０１ｂからのバスケット１２１ｂの取り外しを可能にする。バッグの一部分は、バッグをバスケット１２１ｂの形状に適合させるためにこれらの切り抜きハンドル３０８の中に保持される場合がある（すなわち、ハンドル３０８は、先に議論した保持穴１２３および１２３ａと同じ機能を実行する場合がある）。
【００５７】
蓋１０２ｂは、タブ３０９を介して開かれたり閉じられたりすることがある。代替的に、蓋１０２ｂは、接点（図示しないスイッチ、ボタン、または同様のもの）あるいは近接センサ（図示せず）を介して動作する場合があり、ソレノイド３１０または他の電気機械手段を用いて、蓋１０２ｂを作動させて開かせる。
【００５８】
容器３００は、デフロスト水を収集するために内部熱交換器１０５ｂの下に位置決めされる取り外し式ドリップ・カップ３１１を含む場合がある。ドリップ・カップ３１１は、氷がそこから容易に除去されるのを可能にするために、シリコンまたは他の柔軟な材料で作られることがある。
【００５９】
容器３００は、先ず動力を（例えば、コード１３４ｂを介して）供給することによって動作する。制御ユニット１３５ｓは、熱電デバイス３０１を開始させる。その結果、内部熱交換器１０５ｂは、しきい値温度（好ましくは、摂氏氷点下温度）より下に冷却される。同時に、内部ファン１１７ｂは、チャンバ１０１−２ｂの全体にわたる空気の循環を始める。これは、チャンバ１０１−２ｂ内の空気（および後続の廃棄物）の温度を氷点より下まで低下させるであろう。これとは無関係に、ユーザは、バスケット１２１ｂを取り外すことがあり、バスケット３０６の形状に適合させるために、バッグをバスケット１２１ｂの中に、そして、フラットリム３０７のまわりに設置して、バッグの一部分を切り抜きハンドル３０８に挿通する。
【００６０】
容器３００にアクセスするために、ユーザは、タブ３０９あるいは上で述べたスイッチまたは近接センサを介して、蓋１０２ｂを持ち上げる場合があるであろう。ユーザは、その後に廃棄物をバッグの中に入れて、蓋１０２ｂを閉じてもよい。いったん廃棄物がチャンバ１０１−２ｂの中に収容されると、凍結、昇華、および析出のプロセスは、においを妨げること、および、先に説明したように、バクテリア成長および廃棄物の腐敗を低減または排除すること、を始める。
【００６１】
定期的に、コントローラ１３５ｂは、熱電デバイス３０１を制御して、その低温側および高温側を切り換える場合があり、デフロストのために内部熱交換器１０５ｂを（冷却ではなく）加熱する。これは、内部熱交換器１０５ｂを温めさせて、任意のフロストの構築を水に溶かすであろう。この水は、ドリップ・カップ３１１の中に滴下するであろうし、また、氷に凍結することがある。このカップは、定期的に（例えば、ユーザによって）空にされる場合がある。バスケット１２１ｂがいっぱいであるとき、ユーザは、凍り付いた廃棄物を収容しているバッグを取り外し、次いで、バッグを新しいものと交換することがある。
【００６２】
ここで、図１０〜１２を参照すると、他の実施形態に係る能動冷却型廃棄物容器４００が例証されている。容器１００の対応する部品に類似の容器４００の部品は、容器１００と関連して、上で紹介したのと同じ参照数字だが添え字「ｃ」を備えて番号付けされる。
【００６３】
こうして、容器４００は、開口１０１−３ｃを備えたチャンバ１０１−２ｃを画定する、外側壁１０１−４ｃによって囲まれた（そして、外側壁１０１−４ｃに開口１０１−３ｃで接合された）内側壁１０１−１ｃを含むコンテナ１０１ｃを含む。開口１０１−３ｃは、中間舌部１０４ｃと係合するガスケット１０３ｃを有する蓋１０２ｃによって閉じられる場合がある。加えて、蓋１０２ｃおよび内側壁１０１−１ｃは、バッフル１１９ｃを提供するように開口１０１−３ｃの近くでテーパ付けされる。コンテナ１０１ｃは、内部熱交換器１０５ｃを収容する。本実施形態では、内部熱交換器は、蒸発器であり、また、ヒートポンプの部品であり、圧縮機１０６ｃと、流体配管１０８ｃによって蒸発器１０５ｃに連結されて凝縮器ファン１０９ｃによって冷却される凝縮器１０７ｃと、を含む。
【００６４】
容器４００は、チャンバ１０１−２ｃ内に実装されたファン１１７ｃを含む（本実施形態は２つのファン１１７ｃを含む）場合があり、個々が、空気を蒸発器１０５ｃに方向付けるためのダクト１１８ｃの中に空気を引く。蒸発器１０５ｃは、デフロスト・パッド１２８ｃ（２つのパッド１２８ｃが示されている）を含む場合があり、チャンバ１０１−２ｃは、流体をチャンバ１０１−２ｃから除去するために、および、ｐトラップ１３２ｃを介してドレン・パン１３３ｃに収集するために、デフロスト流出流体をドレンに方向付けるための（図示しないデフロスト・パッドを含む場合もある）ドレン・トラフ１２９ｃを含む。
【００６５】
コントローラ１３５ｃは、センサ（図示せず）を介してチャンバ温度をモニタする場合があり、また、他のセンサ（図示せず）を介して蒸発器１０５ｃの温度をモニタする場合もある。容器４００のモニタ状態に基づいて、コントローラ１３５ｃは、上で述べたヒートポンプおよびデフロスト・パッド１２８ｃを自動的に有効化および無効化する場合がある。バッグ保持穴１２３ｃおよびハンドル１２４ｃを有する取り外し式ビン１２１ｃは、ビン１２１ｃの中に支持されたバッグ１２２ｃ内の廃棄物を収集するために、チャンバ１０１−２ｃの中にローディングされる場合がある。
【００６６】
容器４００は、スタンドアロンのフリーザ器具として構成されており、その全体寸法がアパート複合体のごみ置きルームや一時的な廃棄物貯蔵庫を必要とする病院／看護ホームセッティングまたは他の施設での使用に適しているという点で工業的または商業的な使用のために適切にサイズ決めされている。
【００６７】
コンテナ１０１ｃは、実施形態のベース１１０ｃまで延びている。鉛直に統合する代わりに、圧縮機１０６ｃ、凝縮器１０７ｃ、および他の冷却部品は、コンテナ１０１ｃの後ろに位置する（図１１Ａおよび１１Ｂから理解されるように）。容器４００の蓋１０２ｃは、近接センサ４０７、ペダル、スイッチ、タブまたは同様のものを介して活動化され、また、ソレノイドまたは任意の他の適切な機構を介して活動化されるデポジット・ハッチ４０１（蓋１０２ｃに対してシールするためのガスケットと、バッフル１１９ｃに似たバッフルを形成するためのテーパ付き部分と、を含む）を含むことがある。蓋１０２ｃは、開く蓋１０２ｃを支えるために、ガススプリング、ばねまたは他の付勢機構（図示せず）を採用することがある。
【００６８】
コンテナ１０１ｃは、ドア・ヒンジ４０３でスイングして開く容器４００の前面の絶縁ドア４０２の形式の補助開口を通してアクセス可能である。ドア４０２は、コンテナ１０１ｃを前面からシールするためにドア・ガスケット４０４を有し、また、蓋１０２ｃと同様にテーパを有する場合があり、バッフル１１９ｃと同様のバッフルをコンテナ１０１ｃに形成する。ドア４０２は、ドア・ラッチ４０５や磁石によって閉じた状態が保持されることがあり、また、ドア・ハンドル４０６またはドア４０２を開くための他の機構を含む場合がある。ドア４０２は、コンテナ１０１ｃのどちらの側でも旋回する二重ドアとして構成されることがある。そのような実施形態では、二重ドアは、相互にラッチするであろう。
【００６９】
先に議論した実施形態のビンと対照的に、取り外し式ビン１２１ｃは、ホイール付きカートとして実施される（したがって、カート１２１ｃとも称される）。カート１２１ｃは、壁、開いた上部、および、底部のキャスタ・ホイール４０８などの動力デバイスを有する。カート１２１ｃの形状は、チャンバ１０１−２ｃの形状に適合し、空気の循環のための遊びがいくらかある。上で述べたように、カート１２１ｃは、ハンドル１２４ｃを含む場合もある。本実施形態では、２つのハンドル１２４ｃが設けられ、突出する支点特徴部４１１と組み合わせて、大きめの収集ビンまたはシュートの中へのカート１２１ｃの内容物の投げ捨てを容易化するためにカート１２１ｃが軸のまわりに旋回するのを可能にする旋回グリップ４１２としても作用する。
【００７０】
容器４００は、カート１２１ｃを整列させるための案内構造を含む。しかしながら、先に述べた突起１２６および窪み１２７ではなくて、コンテナ１０１ｃは、キャスタ・ホイール４０８を受容するための軌道４１３を画定する。さらに、コンテナ１０１ｃの底部には、ドア４０２とのインターフェースに沿って、ランプ４１４があり、コンテナ１０１ｃの内および外へのカート１２１ｃの揺動を容易化する。カート１２１ｃ自体は、ドア（図示せず）を有することもあり、廃棄物でいっぱいの重いバッグの容易なアンローディングを可能にする。
【００７１】
容器４００は、体積センサ（例えば、充填高さ近接センサ４１５）、重量センサ（例えば、軌道４１３の一方または双方の中に配設された負荷センサ）、あるいは、それらの組合せを含む場合があり、コントローラ１３５ｃがビン１２１ｃの現在の充填高さおよび／または重量を決定するのを可能にする。他の実施形態では、上で述べたセンサは、カート１２１ｃ自体の上に実装されることがある。容器４００は、カート１２１ｃがどのぐらいいっぱいなのかを示すための出力デバイスを含む場合がある。出力デバイスは、ライト４１７、表示パネル４１８、可聴信号を発生するためのスピーカ、コントローラ１３５ｃに統合そうでなければ接続された（有線または無線）ネットワーク・インターフェース、または、同様のもの、のうちのいずれか１つあるいは任意の適切な組合せを含む場合がある。
【００７２】
上で述べたネットワーク・インターフェースでは、コントローラ１３５ｃは、ネットワークに接続されてスマートフォンやコンピュータアプリケーションを通してセントラルハブと通信を行うことがあり、それによって、多数の他の容器が接続されることがあり、全部がそれらの現在の廃棄物高さを表示する。
【００７３】
容器４００は、最初に動力をユニットに供給することによって動作する。容器４００は、ネットワークが有効化される場合、そのときネットワークに接続されて、インフォメーションの流れが開始されるであろう。ヒートポンプは、その後に（例えば、コントローラ１３５によって）開始され、コンテナ１０１ｃは、しきい値（例えば、摂氏ゼロ度）より下まで冷却される。
【００７４】
これに依存しないで、ユーザは、容器４００のドア４０２をラッチ解除して、カート１２１ｃを転がして出すことがあり、この目的のためにランプ４１４が利用される。いったん取り外されると、ユーザは、バッグ１２２ｃをカート１２１ｃの中に挿入することがあり、バッグ１２２ｃをカート１２１ｃの内部形状に適合させるために、保持特徴部１２３ｃが利用される。ユーザは、その後にカート１２１ｃを元のコンテナ１０１ｃの中に転がして、ドア４０２を閉めることがあり、それを閉めた状態に保持するためにラッチ４０５が用いられる。
【００７５】
標準的な使用において、ユーザが捨てるべき小さなアイテム（おむつや小さいごみ袋などの）を有する場合、アイテムを素早く捨てるために、蓋１０２ｃの中に位置するデポジット・ハッチ４０１が利用されることがある。ユーザは、近接センサ４０７を用いてデポジット・ハッチ４０１を作動させることがある。これは、ユーザがごみを捨てるのを可能にするために、デポジット・ハッチ４０１を開く機構を活動化させるであろう。ごみは、体積１０１内のカート１２１ｃの中に収容されたバッグ１２２ｃの中に落ちるであろう。
【００７６】
ユーザが汚れたベッドシートなどの大きめの捨てるべきアイテムを有する場合、蓋１０２ｃが全体的に上に持ち上がることがある。これは、手で、あるいは、他のペダル、近接センサ、または接点を用いて、行われることがある。蓋１０２ｃは、ユーザが大きめのアイテムをカート１２１ｃ内のバッグ１２２ｃの中に捨てるのを可能にするために、ガス・スプリング・シリンダ、ストッパ、引張ばね、または他の機構によって開いた状態に保持されることがある。
【００７７】
充填高さ近接センサ４１５、負荷センサ４１６、または他の手段によって決定されたような、カート４０７の中の廃棄物が所定の体積または重量に合うようなときに、コントローラ１３５ｃは、収容力いっぱいであって空にすることを要求するという通信を行うように構成される。そのような通信は、指示ライト４１７、表示パネル４１８、またはそこにある任意の他の出力デバイス、のうちの任意の１つまたは複数を活動化させることによって達成されることがある。ネットワークにリンクされた場合、コントローラ１３５ｃは、ネットワークを介して（例えば、スマートフォンなどのクライアント・コンピューティング・デバイス宛に）容器４００が空にすることを要求するという通信を行う場合がある。そのようなネットワーク通信は、保健医療施設、アパート複合体または他の場所のいたるところに展開された複数の容器４００の場合において、どの容器４００が空にすることを要求すると示しているかに基づいて、ユーザがそれらのルートを計画するのを可能にする。
【００７８】
いつたん廃棄物がチャンバ１０１−２ｃの中に収容されると、凍結、昇華、および析出のプロセスは、第１の実施形態のように、においを低減または排除することや、バクテリア成長および廃棄物の腐敗を止めること、を始める。先に説明したように、自動的にデフロストすることは、コントローラ１３５ｃによって定期的に開始される場合があり、蒸発器１０５ｃが過剰なフロスト構築を免れるように保持される。
【００７９】
上の実施形態に対する他の変形形態も意図されている。例えば、熱電デバイスまたは他の冷却方法を使用することは、上で説明した冷却手段と互いに代替できる。電気的インパルス、アイス・フォビック・コーティング（ｉｃｅ  ｐｈｏｂｉｃ  ｃｏａｔｉｎｇｓ）、および振動などのデフロストの代替手段または既に案出された他の手段を採用することができる。光電池や風力タービンなどの動力の代替手段を採用してもよい。温度は、用途によっては、水の凝固点より上に調整されることがある。
【００８０】
サイズ、形状、および外観の変更は、レストラン、フード・トラック、介護ホーム、病院、アパート複合体、および公共空間などの異なった商用アプリケーションに適応するように、行われることがある。
【００８１】
さらなる実施形態は、単一のチャンバ１０１−２ではなく、２以上の明確な区画を含む場合がある。少なくとも１つ、もしかしたら（必然ではないが）すべての区画は、上で説明したように、冷却される場合がある。明確な区画の数は、仕分けを要求する異なった廃棄物アイテムの数に基づいて様々である場合がある。各冷却されない体積は、廃棄物バッグをビンの形状に保持するためのクリップや穴などの設備を保持する取り外し式ビンによって包含される。各冷却されない区画は、蓋、開口、トラップ・ドア、もしくは簡易開口、および、機械式リンクによって蓋にリンク結合されたペダル、市場で見うけられる既存の複数区画型の廃棄物容器に類似の電気機械手段によって誘導される近接センサまたは接点などのアクセスのための手段、を包含することもある。
【００８２】
他の実施形態では、取り外し式ビン（例えば、カート１２１ｃ）は、コンテナ１０１ｃから完全に取り外すのではなく、外方に傾くようにしてもよい。他の修正についても、本明細書に説明した実施形態について行うことができる。例えば、能動冷却型廃棄物容器の戸外の実施態様については、動物や自然からのダメージに耐えるために十分に頑丈な外部を備えた隔離されたダンプスターとして提供されることがある。
【００８３】
特許請求の範囲は、上の例に記載した実施形態によって限定すべきではなく、全体として説明に合致した最広義の解釈が与えられるべきである。
【図１】
2019524604.tif 000003
【図２】
2019524604.tif 000004
【図３】
2019524604.tif 000005
【図４】
2019524604.tif 000006
【図５】
2019524604.tif 000007
【図６】
2019524604.tif 000008
【図７】
2019524604.tif 000009
【図８】
2019524604.tif 000010
【図９】
2019524604.tif 000011
【図１０】
2019524604.tif 000012
【図１１Ａ】
2019524604.tif 000013
【図１１Ｂ】
2019524604.tif 000014
【図１２】
2019524604.tif 000015
【国際調査報告】
2019524604.tif 000016
2019524604.tif 000017
2019524604.tif 000018